(57)【特許請求の範囲】
【請求項１】
ユーザを撮影して画像データを生成し、前記画像データを印画紙に印画して印画物を作製する印画物作製装置と、
前記印画物作製装置から前記画像データを受信して保存し、前記画像データをユーザ端末へ送信するサーバ装置と、
を備える画像データ提供システムであって、
前記印画物作製装置は、
ユーザ端末が前記サーバ装置にアクセスして前記画像データを取得するためのＵＲＬ情報であって、前記画像データに一意の前記ＵＲＬ情報を生成するＵＲＬ生成部と、
前記ユーザ端末が前記サーバ装置にアクセスして前記画像データを取得するためのパスコードを生成するパスコード生成部と、
前記画像データ、前記ＵＲＬ情報及び前記パスコードを前記サーバ装置へ送信する通信処理部と、
前記画像データ、前記ＵＲＬ情報及び前記パスコードを印画紙に印画して前記印画物を作製するプリンタと、
を有し、
前記サーバ装置は、前記印画物作製装置から前記画像データ、前記ＵＲＬ情報及び前記パスコードを受信して保存し、ユーザ端末から前記印画物に印画されたＵＲＬ情報に基づいてアクセスされると、前記ユーザ端末から通知されたパスコードと、保存しているパスコードとを比較してユーザ認証を行い、前記画像データのダウンロード画面を作成して前記ユーザ端末へ送信し、
前記ダウンロード画面は、ＳＮＳ（Social  Networking  Service）投稿ボタンを含み、前記ユーザ端末において前記ＳＮＳ投稿ボタンが押されると、前記サーバ装置は前記ユーザ端末に対し画像の拡縮又はトリミングを要求し、前記画像データをＳＮＳの仕様に合わせてアスペクト比を変換してＳＮＳに投稿することを特徴とする画像データ提供システム。
【請求項２】
前記サーバ装置は、ＳＮＳに投稿された画像データに対するＳＮＳユーザの反応を分析するＳＮＳ投稿分析部をさらに備えることを特徴とする請求項１に記載の画像データ提供システム。
【発明の詳細な説明】
【技術分野】
【０００１】
本発明は、画像データ提供システム及びサーバ装置に関する。
【背景技術】
【０００２】
免許証、パスポート、履歴書等に貼付する証明写真等を撮影するためのボックス型の写真撮影装置が知られている。写真撮影装置は、人物を撮影し、用途に応じた様々なサイズの写真をプリントして出力する。また、クロマキー合成を用いた処理により、人物画像にテンプレート画像を合成してプリント出力する写真撮影装置が知られている。利用者は、あらかじめ準備されている様々なテンプレート画像から所望の画像を選択することができる。
【０００３】
企業のプロモーションイベントや、ショッピングモールのイベントなどの短期イベントの主催者は、集客効果を上げるために、イベントに関連するテンプレート画像との合成画像をプリント出力する写真撮影装置を設置することがあった。
【０００４】
近年、ＳＮＳ（Social  Networking  Service）とよばれるコミュニケーションスタイルが一般化し、テキストメッセージや画像が仲間同士でリアルタイムに共有されている。イベント会場の写真撮影装置でユニークなテンプレート画像と自身の画像との合成画像をプリント出力した顧客が、手元のプリント物をスマートフォン等で撮影して画像をＳＮＳに投稿し、仲間と共有することがあった。このようなＳＮＳへの画像の投稿は、イベントの宣伝拡散になるため、イベント主催者は、より多くの顧客が画像をＳＮＳに投稿することを望んでいた。
【先行技術文献】
【特許文献】
【０００５】
【特許文献１】特開２０１３−５５６２８号公報
【発明の概要】
【発明が解決しようとする課題】
【０００６】
本発明は、上記従来の実状に鑑みてなされたものであり、ユーザを撮影して画像を印画紙にプリントして出力すると共に、ＳＮＳへの投稿を促すように画像データをユーザ端末へ提供する画像データ提供システム、及びＳＮＳへの投稿を促すように画像データをユーザ端末へ提供するサーバ装置を提供することを課題とする。
【課題を解決するための手段】
【０００７】
本発明の一態様による画像データ提供システムは、ユーザを撮影して画像データを生成し、前記画像データを印画紙に印画して印画物を作製する印画物作製装置と、前記印画物作製装置から前記画像データを受信して保存し、前記画像データをユーザ端末へ送信するサーバ装置と、を備える画像データ提供システムであって、前記印画物作製装置は、ユーザ端末が前記サーバ装置にアクセスして前記画像データを取得するためのＵＲＬ情報を生成するＵＲＬ生成部と、前記画像データ及び前記ＵＲＬ情報を前記サーバ装置へ送信する通信処理部と、前記画像データ及び前記ＵＲＬ情報を印画紙に印画して前記印画物を作製するプリンタと、を有し、前記サーバ装置は、前記印画物作製装置から前記画像データ及び前記ＵＲＬ情報を受信して保存し、ユーザ端末から前記印画物に印画されたＵＲＬ情報に基づいてアクセスされると、前記画像データのダウンロード画面を作成して前記ユーザ端末へ送信し、前記ダウンロード画面は、ＳＮＳ（Social  Networking  Service）投稿ボタンを含み、前記ユーザ端末において前記ＳＮＳ投稿ボタンが押されると、前記サーバ装置は前記画像データをＳＮＳに投稿することを特徴とするものである。
【０００８】
本発明の一態様による画像データ提供システムにおいて、前記印画物作製装置は、前記ユーザ端末が前記サーバ装置にアクセスして前記画像データを取得するためのパスコードを生成するパスコード生成部をさらに備え、前記通信処理部は前記パスコードを前記サーバ装置へ送信し、前記プリンタは、前記パスコードを前記印画紙にプリントして前記印画物を作製し、前記サーバ装置は、前記ユーザ端末から通知されたパスコードと、前記通信処理部から受信したパスコードとを比較してユーザ認証を行うことを特徴とする。
【０００９】
本発明の一態様による画像データ提供システムにおいて、前記サーバ装置は、ＳＮＳに投稿された画像データに対するＳＮＳユーザの反応を分析するＳＮＳ投稿分析部をさらに備えることを特徴とする。
【００１０】
本発明の一態様によるサーバ装置は、ユーザを撮影して画像データを生成し、前記画像データ及びＵＲＬ情報を印画紙に印画して印画物を作製する印画物作製装置から、前記画像データ及び前記ＵＲＬ情報を受信して保存し、ユーザ端末へ前記画像データを送信するサーバ装置であって、前記印画物作製装置から、前記画像データ及び前記ＵＲＬ情報を受信する受信処理部と、前記画像データ及び前記ＵＲＬ情報を記憶部に格納する格納処理部と、前記印画物に印画されたＵＲＬ情報に基づいてユーザ端末からアクセスされると、前記画像データのダウンロード画面を作成して前記ユーザ端末へ送信する送信処理部と、前記ユーザ端末において前記ダウンロード画面に含まれるＳＮＳ（Social  Networking  Service）投稿ボタンが押されると、前記画像データをＳＮＳに投稿するＳＮＳ投稿処理部と、を備えるものである。
【００１１】
本発明の一態様によるサーバ装置は、ＳＮＳに投稿された画像データに対するＳＮＳユーザの反応を分析するＳＮＳ投稿分析部をさらに備えることを特徴とする。
【発明の効果】
【００１２】
本発明によれば、ユーザを撮影して画像を印画紙にプリントして出力すると共に、ＳＮＳへの投稿を促すように画像データをユーザ端末へ提供することができる。
【図面の簡単な説明】
【００１３】
【図１】本発明の実施形態による画像データ提供システムの構成図である。
【図２】印画物の例を示す図である。
【図３】画像データのダウンロード画面の一例を示す図である。
【図４】印画物作製装置の概略構成図である。
【図５】演算制御装置のハードウェア構成を示す図である。
【図６】画像処理プログラムを実行することで実現される機能ブロック図である。
【図７】サーバ装置の機能ブロック図である。
【図８】同実施形態による画像データ提供方法を説明するシーケンス図である。
【図９】変形例によるサーバ装置の機能ブロック図である。
【発明を実施するための形態】
【００１４】
以下、本発明の実施の形態を図面に基づいて説明する。
【００１５】
図１は、本発明の実施形態に係る画像データ提供システムの構成図である。図１に示すように、画像データ提供システムは、ユーザを撮影して印画物３を作製する印画物作製装置２と、印画物作製装置２から受信した画像データを携帯端末４へ送信するサーバ装置１と、サーバ装置１及び携帯端末４とネットーワークを介して通信を行うＳＮＳサーバ５とを備える。ＳＮＳサーバ５は、ネットーワークを介して印画物作製装置２と通信を行ってもよい。
【００１６】
印画物作製装置２は、ボックス型の写真撮影装置であり、ユーザを撮影してユーザ画像を生成し、ユーザ画像とテンプレート画像とを合成して合成画像を生成する。また、印画物作製装置２は、ユーザが後で合成画像データをダウンロードするためのウェブページのＵＲＬと、パスコードとを生成する。さらに、印画物作製装置２は、生成したＵＲＬをコード化処理し、二次元コードを作成する。
【００１７】
印画物作製装置２は、図２に示すように、合成画像３１、二次元コード３２、パスコード３３、及びＵＲＬ３４を印画紙に印画して、印画物３を作製する。
【００１８】
印画物作製装置２は、合成画像３１の画像データ、パスコード及びＵＲＬ情報をサーバ装置１へ送信する。サーバ装置１は、印画物作製装置２から受信した画像データ、パスコード、及びＵＲＬ情報を紐付けて保存する。
【００１９】
ユーザは、スマートフォンやタブレット機器等の携帯端末４を有しており、この携帯端末４には、二次元コードを読み取るプログラム（二次元コード読取アプリ）が記憶されている。携帯端末４がこのプログラムを実行すると、二次元コードを読み取るために携帯端末４のカメラ機能が起動する。ユーザが携帯端末４のカメラで印画物３上の二次元コード３２を撮影すると、携帯端末４は二次元コード３２を読み取ってＵＲＬを取得し、サーバ装置１にアクセスする。
【００２０】
サーバ装置１は、携帯端末４からアクセスされると、携帯端末４にパスコード入力画面を表示させ、パスコードの入力を要求する。ユーザは、パスコード入力画面から、印画物３に印字されているパスコード３３を入力する。サーバ装置１は、携帯端末４がアクセスしてきた際のＵＲＬに対応するパスコードを保存しており、このパスコードと、入力されたパスコードとを比較し、ユーザ認証を行う。
【００２１】
パスコードが合致していた場合、サーバ装置１は画像データをダウンロードするための画面であり、さらに、サーバ装置１からＳＮＳサーバ５へ画像データをアップロードできる画面でもあるダウンロード画面（以下「アップロード画面」と称することもある。）を携帯端末４へ送信し、表示させる。図３に、ダウンロード画面４０の一例を示す。ダウンロード画面４０は、画像４１と、複数のＳＮＳ投稿ボタン４２と、メールボタン４３とを含む。例えば、ダウンロード画面４０の画像４１を長押しすることで、画像データを携帯端末４のメモリに保存することができる。
【００２２】
ＳＮＳ投稿ボタン４２はＳＮＳ毎に設けられている。ＳＮＳ投稿ボタン４２を押すと、認証処理（例えばＯＡｕｔｈ認証）が行われ、サーバ装置１からＳＮＳサーバ５へ画像データをアップロードできるようになっている。ＳＮＳサーバ５は、ソーシャルネットワーキングサービスを提供する、不特定多数のユーザがアクセス可能なウェブサーバである。ＳＮＳサーバ５にアップロードされた画像データは、多くのユーザに公開される。
【００２３】
メールボタン４３を押すと、携帯端末４にインストールされているメールアプリケーションが起動し、画像データを添付してＥメールを送信できるようになっている。
【００２４】
このように、本実施形態による画像データ提供システムによれば、ユーザは、撮影したユーザ画像とテンプレート画像とを合成した合成画像が印画された印画物３を入手できる。また、印画物３に印画された二次元コード３２を用いてサーバ装置１にアクセスし、パスコード３３を入力することで、印画物３に印画された合成画像の画像データを入手することができる。また、画像データのダウンロード画面４０のＳＮＳ投稿ボタン４２を押すことで、ＳＮＳサーバ５への画像データのアップロードを容易に行うことができる。
【００２５】
印画物作製装置２は、画像データやパスコードを暗号化してサーバ装置１へ送信してもよい。例えば、印画物作製装置２は、ウェブサーバと共有している共通鍵（秘密鍵）を用いて、データの暗号化を行う。サーバ装置１は、暗号化されたデータを印画物作製装置２から受信すると、共通鍵を用いて復号する。
【００２６】
次に、印画物作製装置２の構成について説明する。図４は、印画物作製装置２の概略構成を示す。印画物作製装置２は、ユーザ（被撮影者）Ｐを撮影し、撮影画像データを生成する撮影装置２１と、この撮影画像データに対して画像処理を施す演算制御装置２０と、印画物（写真）をプリントするプリンタ２３と、撮影装置２１がユーザＰを撮影する際にユーザＰに光を照射するストロボ２４と、サーバ装置１との通信を行う通信部（通信インタフェース部）２５とを備える。
【００２７】
また、印画物作製装置２は、ユーザＰからテンプレート選択等の各種指示を受け付けると共に、撮影した画像のプレビュー表示を行うタッチパネル２２を備えている。印画物３の作製が有料である場合、印画物作製装置２には、ユーザＰが印画物の代金として支払う貨幣を受け入れたり、釣銭を払い出したりする課金部（図示せず）が設けられる。印画物作製装置２におけるユーザＰの背中側の壁紙は、クロマキー合成に適した色、例えば青色や黄緑色になっている。
【００２８】
撮影装置２１は、例えばデジタルカメラであり、レンズ、シャッタ、ＣＭＯＳセンサ、Ａ／Ｄ変換器等を有する。撮影装置２１がユーザＰを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置２１は、撮影画像データを演算制御装置２０へ出力する。
【００２９】
演算制御装置２０は、撮影装置２１、タッチパネル２２、プリンタ２３、ストロボ２４、及び通信部２５に接続されており、各部の制御やデータの受け渡しを行う。
【００３０】
図５に、演算制御装置２０のハードウェア構成を示す。演算制御装置２０は、ＣＰＵ（中央演算処理部）２６、メインメモリ２７、ディスク装置２８、及び入出力部２９を有する。演算制御装置２０の各部はバスを介して接続されている。
【００３１】
ディスク装置２８は、制御プログラム、画像処理プログラム、及びテンプレートデータを記憶する。テンプレートデータは、撮影されたユーザ画像に合成される画像データであり、例えば印画物作製装置２が設置されたイベント会場で開催されているイベントに関連した画像データである。
【００３２】
ＣＰＵ２６が制御プログラムを実行することで、印画物作製装置２の各部を制御する制御部として機能する。
【００３３】
ＣＰＵ２６が画像処理プログラムを実行することで、図６に示すように、テンプレート選択部２０１、合成部２０２、ＵＲＬ生成部２０３、コード化処理部２０４、パスコード生成部２０５、プリント用画像生成部２０６、暗号化処理部２０７、及び通信処理部２０８が実現され、印画物３の作製及びサーバ装置１との通信が行えるようになる。
【００３４】
テンプレート選択部２０１は、ディスク装置２８に記憶されているテンプレートデータをタッチパネル２２に表示し、ユーザから、使用するテンプレート画像の選択を受け付ける。
【００３５】
合成部２０２は、撮影装置２１による撮影画像内の人物（ユーザ）と背景色（壁紙色）との色差を判別し、撮影画像からユーザ画像を切り抜く。ここで判別される色差とは、色相差、彩度差、又は色相差及び彩度差の組み合わせである。そして、合成部２０２は、ユーザ画像と、選択されたテンプレート画像とを合成して合成画像を生成する。
【００３６】
ＵＲＬ生成部２０３は、合成画像データをダウンロードするためのウェブページのＵＲＬを生成する。ＵＲＬ生成部２０３は、合成画像毎に（印画物３毎に）一意のＵＲＬを生成する。例えば、ＵＲＬ生成部２０３は、印画物作製装置２の筐体番号や撮影時刻等を用いてＵＲＬの末尾複数桁の文字列を変えて、一意の（各画像データ固有の）ＵＲＬを生成する。
【００３７】
コード化処理部２０４は、ＵＲＬ生成部２０３が生成したＵＲＬをコード化処理し、二次元コードを生成する。
【００３８】
パスコード生成部２０５は、合成画像データをダウンロードするための一意のパスコードを生成する。例えば、パスコード生成部２０５は、パスコードとして８桁のランダムな文字列を生成する。
【００３９】
プリント用画像生成部２０６は、合成画像、二次元コード、ＵＲＬ、及びパスコードを配置したプリント用画像を生成する。プリント用画像は、入出力部２９を介してプリンタ２３へ転送される。
【００４０】
暗号化処理部２０７は、必要に応じて、合成部２０２により生成された合成画像データや、パスコード生成部２０５により生成されたパスコードを、サーバ装置１と共有する共通鍵を用いて暗号化する。
【００４１】
通信処理部２０８は、画像データ、パスコード及びＵＲＬをサーバ装置１へ送信する。通信処理部２０８は、通信プロトコルとしてＦＴＰＳやＨＴＴＰＳ等を用いる。
【００４２】
印画物作製装置２のタッチパネル２２は、操作ボタンを表示し、操作ボタンが押されると、その操作ボタンに対応した操作指示を受け付ける。また、印画物作製装置２はライブビュー機能を有し、テンプレート画像とユーザ画像とを合成した合成画像をタッチパネル２２の画面で確認できるようになっている。
【００４３】
タッチパネル２２上の撮影指示ボタンが押されると、ボタンタッチ後、所定のタイミングで撮影処理が行われ、合成画像が静止画表示される。ユーザＰは、表示された合成画像を確認し、承認ボタンを押すと、演算制御装置２０は、この合成画像を含むプリント用画像のデータをプリンタ２３へ転送する。
【００４４】
プリンタ２３は、演算制御装置２０から受け取ったプリント用画像を印画紙にプリントして印画物３を出力する。プリンタ２３のプリント方式は特に限定されず、インクジェット方式、昇華型熱転写方式、溶融型熱転写方式等を用いることができる。
【００４５】
サーバ装置１は、印画物作製装置２から画像データを受信し、データベースに保存する。サーバ装置１は、ＣＰＵ、ＲＯＭ、ＲＡＭ等を備えたコンピュータにより構成され、ＣＰＵが、ＲＯＭに記憶されたプログラム又はＲＡＭにロードされたプログラムを実行することで、図７に示すように、データ受信処理部１１、データ格納処理部１２、認証処理部１３、データ送信処理部１４、及びＳＮＳ投稿処理部１５が実現され、印画物作製装置２や携帯端末４との通信を行ったり、データベースにデータを格納したり、ＳＮＳサーバ５に画像データを送信（投稿）したりすることができる。
【００４６】
データ受信処理部１１は、印画物作製装置２から、画像データ、パスコード、及びＵＲＬを受信する。
【００４７】
データ格納処理部１２は、受信した画像データ、パスコード、及びＵＲＬをデータベースに格納する。受信したデータが暗号化されている場合、データ格納処理部１２は、印画物作製装置２と共有する共通鍵を用いてデータを復号する。
【００４８】
認証処理部１３は、携帯端末４からアクセスされると、パスコードの入力を求める。認証処理部１３は、携帯端末４から送信されたパスコードを受信すると、データベースが保持しているパスコードを参照して、ユーザの認証処理を行う。携帯端末４がアクセスしてきた際のＵＲＬに対応するパスコードと、携帯端末４から送信されたパスコードとが合致した場合、認証処理部１３は、正規ユーザであると認証する。
【００４９】
データ送信処理部１４は、データベースから、携帯端末４がアクセスしてきた際のＵＲＬに対応する画像データを取り出し、携帯端末４へ送信する。
【００５０】
データ送信処理部１４は、図３に示すような、ＳＮＳ投稿ボタン４２及びメールボタン４３を含むダウンロード画面４０を作成して、携帯端末４へ送信する。メールボタン４３は、携帯端末４にインストールされているメールアプリケーションを起動し、画像データをメールに添付して送信させるようになっている。
【００５１】
ＳＮＳ投稿ボタン４２が押されると、ＳＮＳ投稿処理部１５がＳＮＳサーバ５に対しアクセストークンを要求する。ＳＮＳ投稿処理部１５は、ＳＮＳサーバ５からアクセストークンを取得すると、アクセストークンと共に画像データをＳＮＳサーバ５へ送信（投稿）する。
【００５２】
アクセストークンの取得は、ＳＮＳサーバ５の仕様に応じた処理であり、例えば、まずサーバ装置１がＳＮＳサーバ５に対し、リクエストトークンの発行を要求し、（未承認の）リクエストトークンを取得する。次に、サーバ装置１は、ＳＮＳサーバ５に対しユーザ申請用のページ（ＵＲＬ）を要求する。ＳＮＳサーバ５は、リクエストトークンの情報を利用して申請ページを作成し、サーバ装置１に通知する。サーバ装置１は、ユーザを申請ページへ誘導する。
【００５３】
ユーザが申請ページでアカウント名やパスワード（ログイン情報）を入力し、ＳＮＳサーバ５側でユーザ認証が成功すると、ＳＮＳサーバ５は承認済みのリクエストトークンをサーバ装置１へ送信する。サーバ装置１は、承認済みリクエストトークンを用いて、ＳＮＳサーバ５にアクセストークンを要求し、取得する。
【００５４】
次に、図８を用いて、本実施形態による画像データ提供処理の流れを説明する。ユーザが印画物作製装置２のタッチパネル２２を操作し、テンプレート画像を選択すると（ステップＳ１０１）、撮影装置２１がユーザを撮影する（ステップＳ１０２）。
【００５５】
合成部２０２は、撮影装置２１による撮影画像からユーザ画像を切り抜き、ユーザ画像と、ステップＳ１０１で選択されたテンプレート画像とを合成して合成画像を生成する（ステップＳ１０３）。
【００５６】
ＵＲＬ生成部２０３が、画像データダウンロード用のユニークなＵＲＬを生成し、パスコード生成部２０５がユニークなパスコードを生成する（ステップＳ１０４）。
【００５７】
コード化処理部２０４が、ステップＳ１０４で生成されたＵＲＬをコード化処理して二次元コードを生成すると、プリント用画像生成部２０６が、合成画像、二次元コード、ＵＲＬ、及びパスコードを配置したプリント用画像を生成する。プリンタ２３が、プリント用画像を印画紙に印画して印画物３を作製する（ステップＳ１０５）。ユーザは、合成画像３１、二次元コード３２、パスコード３３、及びＵＲＬ３４が印画された印画物３を取得する（ステップＳ１０６）。
【００５８】
印画物作製装置２の通信処理部２０８が、画像データ、パスコード及びＵＲＬをサーバ装置１に送信する（ステップＳ１０７）。
【００５９】
サーバ装置１は、印画物作製装置２から受信した画像データ、パスコード、及びＵＲＬを紐付けて保存する（ステップＳ１０８）。
【００６０】
ユーザが、携帯端末４の二次元コード読取機能を用いて、印画物３に印画された二次元コード３２を読み取ると（ステップＳ１０９）、携帯端末４はサーバ装置１にアクセスする（ステップＳ１１０）。
【００６１】
サーバ装置１は、携帯端末４にパスコードの入力を要求する（ステップＳ１１１）。ユーザが、携帯端末４のパスコード入力画面から、印画物３に印字されているパスコード３３を入力すると、パスコードがサーバ装置１に通知される（ステップＳ１１２）。
【００６２】
サーバ装置１の認証処理部１３は、保存しているパスコードのうち、携帯端末４がアクセスしてきた際のＵＲＬに対応するパスコードを参照し、ユーザの認証処理を行う（ステップＳ１１３）。
【００６３】
パスコードが一致し、正規ユーザと認証されると、サーバ装置１は、画像データのダウンロード画面４０を作成して携帯端末４へ送信する（ステップＳ１１４）。
【００６４】
ユーザが、ダウンロード画面４０のＳＮＳ投稿ボタン４２を押すと、サーバ装置１がＳＮＳサーバ５にアクセストークンを要求する（ステップＳ１１５）。ＳＮＳサーバ５は、携帯端末４に認証画面（ログイン画面）を表示し、ログイン作業を要求する（ステップＳ１１６）。ユーザが、アカウント名およびパスワード（ログイン情報）をログイン画面に入力すると、ＳＮＳサーバ５は、管理している情報と、入力されたログイン情報とを照合する（ステップＳ１１７）。照合結果が一致すると、ＳＮＳサーバ５はアクセストークンをサーバ装置１に渡す（ステップＳ１１８）。携帯端末４に画像データのアップロード画面が表示され、ユーザがアップロード指示を行うと、サーバ装置１が画像データをアクセストークンと共にＳＮＳサーバ５へ送信する（ステップＳ１１９）。
【００６５】
ＳＮＳサーバ５は、送信（投稿）された画像を公開し、他ユーザが閲覧できるような状態とする（ステップＳ１２０）。画像と共に、イベントの公式ウェブサイトへのリンクが投稿されるようになっていてもよい。また、ユーザは、ダウンロード画面４０に戻って画像４１を長押しすることで、画像データを携帯端末４のメモリに保存できる（ステップＳ１２１）。
【００６６】
このように本実施形態によれば、ユーザは、自身の画像とテンプレート画像との合成画像が印画された印画物３を入手できると共に、印画物３上の画像３１の画像データをサーバ装置１からダウンロードして取得できる。
【００６７】
また、画像データのダウンロード画面４０には、ＳＮＳへの画像の投稿を促すようにＳＮＳ投稿ボタン４２が設けられており、ＳＮＳ投稿ボタン４２を押すことで、画像データをＳＮＳへ容易に投稿できるようになっている。例えば、印画物作製装置２がイベント会場に設置され、テンプレート画像がイベントに関連するものである場合、ＳＮＳに画像データが投稿されることで、イベントの宣伝拡散を行うことが可能となる。
【００６８】
図９に示すように、サーバ装置１は、投稿された画像データに対する他のＳＮＳユーザの反応を分析するＳＮＳ投稿分析部１６を備え、ＳＮＳへの画像投稿により、どの程度の宣伝拡散効果があったかなどの情報を収集できるようにしてもよい。
【００６９】
上記実施形態では、１枚の印画物３に合成画像３１、二次元コード３２、パスコード３３、及びＵＲＬ３４を印画する例について説明したが、合成画像３１と、二次元コード３２、パスコード３３、及びＵＲＬ３４とを別々の印画紙に印画してもよい。あるいはまた、ミシン目入りの印画紙に合成画像３１、二次元コード３２、パスコード３３、及びＵＲＬ３４を印画し、合成画像３１と、二次元コード３２、パスコード３３、及びＵＲＬ３４とが容易に切り離せるようになっていてもよい。
【００７０】
上記実施形態では、撮影装置２１でユーザを撮影した撮影画像からユーザ画像を切り抜き、テンプレート画像と合成した合成画像を印画物３に印画する例について説明したが、撮影画像を印画物３に印画してもよい。この場合、撮影画像の画像データがサーバ装置１に転送・保存され、携帯端末４にダウンロードされたり、ＳＮＳへ投稿されたりする。
【００７１】
サーバ装置１から画像データを取得するユーザ端末は携帯端末４に限定されず、ＰＣ（パーソナルコンピュータ）のウェブブラウザを使用し、印画物３に印字されたＵＲＬ３４を入力してサーバ装置１にアクセスして、画像データを取得（ダウンロード）したり、画像データをＳＮＳに投稿したりしてもよい。
【００７２】
上記実施形態において、パスコード生成部２０５を省略し、ユーザ端末が画像データをサーバ装置１からダウンロードする際に、パスコードの入力が不要となるようにしてもよい。
【００７３】
上記実施形態では、印画物作製装置２がサーバ装置１にアクセスするためのＵＲＬを作成する例について説明したが、ユーザが印画物作製装置２にメールアドレスを入力し、印画物作製装置２からメールアドレス情報を受け取ったサーバ装置１が、このメールアドレス宛てに画像ダウンロードサイトのＵＲＬを通知するメールを送信するようにしてもよい。
【００７４】
サーバ装置１は、ＳＮＳサーバ５へ画像データを送信するにあたり、ＳＮＳの仕様に合わせて画像のアスペクト比を変換してもよい。例えば、ユーザに対し画像の拡縮やトリミングを要求し、ＳＮＳの仕様に合わせたアスペクト比の画像データを送信する。
【００７５】
印画物作成装置２がＳＮＳサーバ５と通信を行い、アクセストークンを取得し、撮影した画像をＳＮＳに送信（投稿）できるようにしてもよい。
【００７６】
上記実施形態において、サーバ装置１からの画像投稿に対応していないＳＮＳの投稿ボタン４２が押された場合は、携帯端末４にインストールされているＳＮＳアプリケーションを起動し、画像をＳＮＳサーバ５へアップロードするようにしてもよい。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７８】
１  サーバ装置
２  印画物作製装置
３  印画物
４  携帯端末
３１  合成画像
３２  二次元コード
３３  パスコード
３４  ＵＲＬ
４０  ダウンロード画面
４２  ＳＮＳ投稿ボタン
【図１】
0006780260.tif 000002
【図２】
0006780260.tif 000003
【図３】
0006780260.tif 000004
【図４】
0006780260.tif 000005
【図５】
0006780260.tif 000006
【図６】
0006780260.tif 000007
【図７】
0006780260.tif 000008
【図８】
0006780260.tif 000009
【図９】
0006780260.tif 000010